(57)【特許請求の範囲】
【請求項１】
複数のポータブルデバイスにメディアコンテンツをワイヤレスに配信するための方法であって、
ネットワークコントローラから送信されるメディアコンテンツを受信することと、
ワイヤレスアクセスポイントと関連するローカル記憶装置に前記メディアコンテンツを記憶することと、
前記ワイヤレスアクセスポイントによりワイヤレスデータプロトコルのカバレッジエリアを管理することと、
前記カバレッジエリア内の予約者としてポータブルデバイスからのメディアコンテンツの要求を認証することと、
ローカル記憶装置が有しておらず、前記要求しているポータブルデバイスによって要求されたメディアコンテンツを、他のポータブルデバイスから前記ワイヤレスアクセスポイントへワイヤレスにアップロードすることと、ここにおいて、前記他のポータブルデバイスは、前記カバレッジエリア内の予約者である、および
前記メディアコンテンツの全体のコピー中の、前記ローカル記憶装置が有していない一部分のコンテンツを、前記ワイヤレスアクセスポイントから前記要求しているポータブルデバイスへワイヤレスにダウンロードすることと、
を具備する方法。
【請求項２】
前記メディアコンテンツの前記全体のコピー中の、前記ローカル記憶装置が有していない前記一部分のコンテンツを提供する前記他のポータブルデバイスのための前記ネットワークコントローラへクレジットを報告することをさらに具備する請求項１に記載の方法。
【請求項３】
前記他のポータブルデバイスが前記ワイヤレスアクセスポイントへアップロードするために利用可能な、前記メディアコンテンツの前記全体のコピー中の、前記ローカル記憶装置が有していない前記一部分のコンテンツを有するという報告を受信することと、
前記メディアコンテンツの前記全体のコピー中の、前記ローカル記憶装置が有していない前記一部分のコンテンツを提供することについて、前記他のポータブルデバイスをクレジットするために前記ネットワークコントローラに報告することと
をさらに具備する請求項１に記載の方法。
【請求項４】
前記ネットワークコントローラへ前記要求しているポータブルデバイスのための位置報告をリレーすることをさらに具備する請求項１に記載の方法。
【請求項５】
前記カバレッジエリアにおける前記要求しているポータブルデバイスの到着を見込んでメディアコンテンツの優先された配信を受信することをさらに具備する請求項１に記載の方法。
【請求項６】
前記要求しているポータブルデバイスから複数のメディアコンテンツ選択を受信することと、
現在のセッションの間に１つの前記選択の少なくとも一部分を送信することと、
前記複数の選択のうちの他の選択を、前記ネットワークコントローラから要求および受信することと、および
その後のセッションの間に前記要求しているポータブルデバイスに前記他の選択を送信することと
をさらに具備する請求項１に記載の方法。
【請求項７】
前記要求しているポータブルデバイスへのメディアコンテンツの送信の間に、更なるポータブルデバイスから更なるメディアコンテンツの要求を受信することと、および
前記要求しているポータブルデバイスへのメディアコンテンツの前記送信の間に、前記更なるポータブルデバイスへ前記更なるメディアコンテンツをワイヤレスに送信することと
をさらに具備する請求項１に記載の方法。
【請求項８】
複数のポータブルデバイスにメディアコンテンツをワイヤレスに配信するための少なくとも１つのプロセッサであって、
ネットワークコントローラから送信されるメディアコンテンツを受信するための第１のモジュールと、
ワイヤレスアクセスポイントと関連するローカル記憶装置に前記メディアコンテンツを記憶するための第２のモジュールと、
前記ワイヤレスアクセスポイントによりワイヤレスデータプロトコルのカバレッジエリアを管理するための第３のモジュールと、
前記カバレッジエリア内の予約者としてポータブルデバイスからのメディアコンテンツの要求を認証するための第４のモジュールと、および
ローカル記憶装置が有しておらず、前記要求しているポータブルデバイスによって要求されたメディアコンテンツを、他のポータブルデバイスから前記ワイヤレスアクセスポイントへワイヤレスにアップロードするためと、前記メディアコンテンツの全体のコピー中の、前記ローカル記憶装置が有していない一部分のコンテンツを、前記ワイヤレスアクセスポイントから前記要求しているポータブルデバイスへワイヤレスにダウンロードするための第５のモジュールと、ここにおいて、前記他のポータブルデバイスは、前記カバレッジエリア内の予約者である、
を具備するプロセッサ。
【請求項９】
複数のポータブルデバイスにメディアコンテンツのワイヤレス配信をサポートするプログラムを記憶したコンピュータ可読記憶媒体であって、
ネットワークコントローラから送信されるメディアコンテンツを受信することをコンピュータにさせるための第１のセットの命令と、
ワイヤレスアクセスポイントと関連するローカル記憶装置に前記メディアコンテンツを記憶することを前記コンピュータにさせるための第２のセットの命令と、
前記ワイヤレスアクセスポイントによりワイヤレスデータプロトコルのカバレッジエリアを管理することを前記コンピュータにさせるための第３のセットの命令と、
前記カバレッジエリア内の予約者としてポータブルデバイスからのメディアコンテンツの要求を認証することを前記コンピュータにさせるための第４のセットの命令と、および
ローカル記憶装置が有しておらず、前記要求しているポータブルデバイスによって要求されたメディアコンテンツを、他のポータブルデバイスから前記ワイヤレスアクセスポイントへワイヤレスにアップロードすることと、前記メディアコンテンツの全体のコピー中の、前記ローカル記憶装置が有していない一部分のコンテンツを、前記ワイヤレスアクセスポイントから前記要求しているポータブルデバイスへワイヤレスにダウンロードすることとを前記コンピュータにさせるための第５のセットの命令と、ここにおいて、前記他のポータブルデバイスは、前記カバレッジエリア内の予約者である、
を具備するコンピュータ可読記憶媒体。
【請求項１０】
複数のポータブルデバイスにメディアコンテンツをワイヤレスに配信するための装置であって、
ネットワークコントローラから送信されるメディアコンテンツを受信するための手段と、
ワイヤレスアクセスポイントと関連するローカル記憶装置に前記メディアコンテンツを記憶するための手段と、
ワイヤレスアクセスポイントによりワイヤレスデータプロトコルのカバレッジエリアを管理するための手段と、
前記カバレッジエリア内の予約者としてポータブルデバイスからのメディアコンテンツの要求を認証するための手段と、
ローカル記憶装置が有しておらず、前記要求しているポータブルデバイスによって要求されたメディアコンテンツを、他のポータブルデバイスから前記ワイヤレスアクセスポイントへワイヤレスにアップロードするための手段と、ここにおいて、前記他のポータブルデバイスは、前記カバレッジエリア内の予約者である、および
前記メディアコンテンツの全体のコピー中の、前記ローカル記憶装置が有していない一部分のコンテンツを、前記ワイヤレスアクセスポイントから前記要求しているポータブルデバイスへワイヤレスにダウンロードするための手段と
を具備する装置。
【請求項１１】
複数のポータブルデバイスにメディアコンテンツをワイヤレスに配信するための装置であって、
ネットワークコントローラから送信されるメディアコンテンツを受信するためのネットワーク通信モジュールと、
前記メディアコンテンツを記憶するためのローカル記憶装置と、
プロセッサと、
ワイヤレスデータプロトコルのカバレッジエリアのために前記プロセッサによって管理されるワイヤレスアクセスポイントと、
前記カバレッジエリア内の予約者としてポータブルデバイスからのメディアコンテンツの要求を認証するためのセキュリティモジュールと、および
ローカル記憶装置が有しておらず、前記要求しているポータブルデバイスによって要求されたメディアコンテンツを、他のポータブルデバイスからワイヤレスにアップロードするためと、前記メディアコンテンツの全体のコピー中の、前記ローカル記憶装置が有していない一部分のコンテンツを、前記要求しているポータブルデバイスへワイヤレスにダウンロードするための前記ワイヤレスアクセスポイントと、ここにおいて、前記他のポータブルデバイスは、前記カバレッジエリア内の予約者である、
を具備する装置。
【発明の詳細な説明】
【関連出願の参照】
【０００１】
本件特許出願は、本願と同時に提出された同時係属の米国特許出願であり、代理人文章番号080024を有するRauberおよびその他の者による「Deployment and Distribution Model for Improved Content Delivery System」に関係するものであって、当該出願は、本件出願の被譲渡人に譲渡され、参照によって本件明細書に明白に組み込まれている、および代理人文章番号080022を有するGrobおよびその他の者による「Methods and Apparatus for an Enhanced Media Content Rating System」に関係するものであって、当該出願は、本件出願の被譲渡人に譲渡され、参照によって本件明細書に明白に組み込まれている。
【技術分野】
【０００２】
本件明細書において開示される態様は、ワイヤレスアクセスポイントをサポートする地理的に位置されたキオスクを介してメディアコンテンツをモバイル通信デバイスに配信する通信ネットワークに関係し、より詳細には、断続的なカバレッジエリアにおけるワイヤレス・ダウンロードにより予約ベースの配信サービスを提供することに関係する。
【背景技術】
【０００３】
ユーザは、多様な複数のデバイス（固定デバイスおよびモバイルデバイスの両方）にわたってメディアコンテンツへの連続的なアクセスを望む。セットトップ・ボックスから「ペイ・パー・ビュー（pay per view）」予約においてメディアコンテンツを速くダウンロードする能力、またはブロードバンド接続上でメディアコンテンツをダウンロードまたは流す能力は、即時のアクセスに対する期待を上げる。選択をすることと前記選択を持っていることとの間の低減された時間が望まれる。
【０００４】
拡張された記録装置、処理およびディスプレイの能力により、メディアコンテンツ（例えば、オーディオ、ビデオ、テキスト、ハップティック物質(haptic material)など）を再生するポータブルデバイスは、いたるところに存在しつつある。ポータブルメディアプレイヤー(PMP)はまた、携帯情報端末（PDA）、携帯電話、電子メールアプリケーションなどのような使用を有する収束ハンドヘルドデバイスの単に１つの態様であってもよい。頻繁に動く何人かのユーザの場合、PMPとして少なくとも部分的に役に立つモバイル通信デバイスは、娯楽および情報の有力な源となり得る。
【０００５】
第3世代（3G）通信ネットワーク（まだ展開されている）は、すべてデジタルであり、音声サービスに加えてデータアクセスを提供し、W-CDMA（UMTSとしても知られている）およびCDMA2000EV-DOを含む。モバイル通信デバイスのポピュレーション（population）をサポートするオペレータは、ユニキャストまたはマルチキャストのいずれかであるメディアコンテンツを選択およびダウンロードするためのある能力を提供する。典型的に、ビデオディスプレイ品質は、スマートフォンまたは同様の携帯デバイスの比較的小さなディスプレイにふさわしい。ここにおいて、高いデータ圧縮は、帯域幅制約付きチャネルの使用を経済的に実行可能にする。
【０００６】
新規のPMPは、より高品質にビデオを再生するのに適している、より大きなディスプレイおよび増加したメモリ記録装置を提供する。したがって、メディアコンテンツのダウンロードは、より大きなファイルをダウンロードするために十分なデータレートによるブロードバンド通信チャネルへのアクセスを必要とする。家庭または公共の場におけるこれらのブロードバンド・ネットワーク・アクセスポートまたはワイヤレスカバレッジエリアは、メディアコンテンツの源とエンドユーザPMPとの間の媒介として動作する。例えば、映画ファイルをダウンロードするためにPMPによって大きな帯域幅消費が必要とされることを考えると、そのような使用を可能にするために十分な能力を備える場所はほとんどないかもしれない。さらに、そのようなPMPデバイスの数が増加することにより、PMPデバイスが合理的な時間内で使用するために利用可能なブロードバンド・ネットワーク・アクセス位置の既存のインフラストラクチャは、制限されるよう予期され得る。したがって、PMP対応のデバイスへのメディアコンテンツの配信は、家庭用使用をあてにする者、およびブロードバンド・ネットワーク・アクセスにおいて必要な投資を行った者に制限され得る。
【発明の概要】
【０００７】
以下では、開示された態様のいくつかの態様の基本的な理解を提供するために単純化された概要を提供する。この概要は、広範な概観ではなく、キーまたは重要なエレメントを識別するよう意図するまたはそのような態様の範囲を描写するよう意図されない。その目的は、後に提供されるより詳細な説明の前置きとして単純化された形式で説明される特徴のいくつかの概念を提供することである。
【０００８】
それらの1つまたは複数の態様およびそれらのものの対応する開示にしたがって、公共の位置において１つまたは複数のワイヤレスアクセスポイントを備えるキオスクの配置についてビジネス・インセンティブを提供する改善されたコンテンツ搬送のための展開および配信モデルを提供するので、ポータブル・メディアプレイヤー（PMP）は、メディアコンテンツ（例えば、オーディオ、ビデオ、テキスト、ハップティック・コンテンツなど）を受信することができることに関係して様々な態様が説明される。加えて、PMPの予約ユーザ、キオスクを提供するベンダー、およびコンテンツ搬送システムのネットワーク・セントラルコントローラの間の調整は、ネットワーク（例えば、ダイアルアップモデム、DSLなど）からの経済的に望ましい低いデータレート通信リンクを通ってキオスクにおいてビデオコンテンツの事前の配置をすることと、キオスクからPMPまでの間のダウンロード（例えば、部分的なダウンロード）、PMP間のピア・ツー・ピア（P2P）ダウンロード、およびPMPからキオスクまでのアップロードの調整されたキューに入れることと、配信におけるそのような関与と対応するために請求すること／クレジットすることと、およびクライアント・プロフィールを反映するためにキオスクにおいてコンテンツの事前の配置の優先度／選択を変更することとを考慮に入れる。
【０００９】
１つの態様において、ある方法は、ポータブルデバイスのポピュレーションにメディアコンテンツをワイヤレスに配信する。ネットワークコントローラから送信されるメディアコンテンツが受信される。メディアコンテンツは、ローカル記録装置に記憶される。ワイヤレスデータプロトコル・カバレッジエリアは、アクセスポイントにより管理される。カバレッジエリア内のポータブルデバイスからのメディアコンテンツについての要求は、予約者として認証される。要求されたメディアコンテンツは、ポータブルデバイスにワイヤレスに送信される。ワイヤレス送信は、追跡および請求目的のためにネットワークコントローラに報告される。
【００１０】
他の態様において、少なくとも１つのプロセッサは、ポータブルデバイスのポピュレーションにメディアコンテンツをワイヤレスに配信する。第１のモジュールは、ネットワークコントローラから送信されるメディアコンテンツを受信する。第２のモジュールは、ローカル記録装置におけるメディアコンテンツを記憶する。第3のモジュールは、アクセスポイントによりワイヤレスデータプロトコル・カバレッジエリアを管理する。第４のモジュールは、カバレッジエリア内の予約者としてポータブルデバイスからのメディアコンテンツについての要求を認証する。第５のモジュールは、ポータブルデバイスへ要求されたメディアコンテンツをワイヤレスに送信する。第６のモジュールは、追跡および請求目的のためにネットワークコントローラへのワイヤレス送信を報告する。
【００１１】
追加の態様において、ポータブルデバイスのポピュレーションにメディアコンテンツをワイヤレスに配信するコンピュータプログラム・プロダクトは、ネットワークコントローラから送信されるメディアコンテンツをコンピュータに受信させるための命令の第１のセットを有するコンピュータ可読記録媒体を具備する。命令の第２のセットは、ローカル記録装置においてメディアコンテンツをコンピュータに記憶させる。命令の第３のセットは、アクセスポイントによりワイヤレスデータプロトコル・カバレッジエリアをコンピュータに管理させる。命令の第４のセットは、カバレッジエリア内の予約者としてポータブルデバイスからのメディアコンテンツについての要求をコンピュータに認証させる。命令の第５のセットは、ポータブルデバイスに要求されたメディアコンテンツをコンピュータにワイヤレスに送信させる。命令の第６のセットは、追跡および請求目的のためにネットワークコントローラにワイヤレス送信をコンピュータに報告させる。
【００１２】
他の追加の態様において、ある装置は、ポータブルデバイスのポピュレーションにメディアコンテンツをワイヤレスに配信する。ネットワークコントローラから送信されるメディアコンテンツを受信するための手段が提供される。ローカル記録装置においてメディアコンテンツを記憶するための手段が提供される。アクセスポイントによりワイヤレスデータプロトコル・カバレッジエリアを管理するための手段が提供される。カバレッジエリア内の予約者としてポータブルデバイスからのメディアコンテンツについての要求を認証するための手段が提供される。ポータブルデバイスに要求されたメディアコンテンツをワイヤレスに送信するための手段が提供される。追跡および請求目的のためにネットワークコントローラにワイヤレス送信を報告するための手段が提供される。
【００１３】
更なる態様において、ある装置は、ポータブルデバイスのポピュレーションにメディアコンテンツをワイヤレスに配信する。ネットワーク通信モジュールは、ネットワークコントローラから送信されるメディアコンテンツを受信する。ローカル記録装置は、メディアコンテンツを記憶する。ワイヤレスアクセスポイントは、ワイヤレスデータプロトコル・カバレッジエリアについてプロセッサによって管理される。セキュリティモジュールは、カバレッジエリア内の予約者としてポータブルデバイスからのメディアコンテンツについての要求を認証する。ワイヤレスアクセスポイントは、ポータブルデバイスに要求されたメディアコンテンツをワイヤレスに送信する。プロセッサは、ローカル記録装置に報告を記憶し、追跡および請求目的のためにネットワーク通信モジュールを介してネットワークコントローラにワイヤレス送信を報告する。
【００１４】
前述および関連する目的の達成に関して、１つまたは複数の態様は、以下で十分に説明され、および特許請求の範囲において特に指摘される特徴を具備する。以下の説明および追加の図面は、ある例示的な複数の態様を詳細に述べ、当該態様の原理が採用されることができる様々な方法のほんの数例を示す。他の利点および新規な特徴は、図面と一緒に考慮されるとき以下の詳細な説明から明白になるだろう。また、開示された態様は、すべてのそのような態様およびそれらの同等物を含むよう意図される。
【図面の簡単な説明】
【００１５】
本件開示の特徴、性質、および利点は、図面と一緒に考慮されるとき、以下で述べられる詳細な説明からより明白になる。ここで、同様の参照特徴は、全体を通して同様に識別される。
【図１】図1は、ワイヤレス媒介としてキオスク・アクセスポイントを介して予約ポータブルデバイスのポピュレーションにネットワーク・メディアコンテンツを搬送するためのコンテンツ搬送システムのブロック図を例示する。
【図２】図2は、メディアコンテンツをワイヤレスに搬送するための方法を例示する。
【図３】図3は、ポータブルデバイスへのメディアコンテンツのワイヤレス配信のために通信ネットワークを利用するコンテンツ搬送システムのブロック図を例示する。
【図４】図4は、ポータブルメディアプレイヤー（PMP）のようなネットワーク・セントラルコントローラ、キオスク、およびポータブルデバイスのブロック図を例示する。
【図５】図5は、コンテンツ配信システムのセントラルコンポーネントから生ずるメディアコンテンツをキオスクおよび他のPMPからダウンロードするユーザPMPのタイミング図を例示する。
【図６】図6は、コンテンツ搬送システムに関与するポータブルまたはモバイルデバイスのためのフロー図を例示する。
【図７】図7は、コンテンツ搬送システムに関与するキオスク／アクセスポイントのためのフロー図を例示する。
【図８】図8は、コンテンツ搬送システムに関与するネットワーク・セントラルコントローラのためのフロー図を例示する。
【発明の詳細な説明】
【００１６】
これから、図面を参照して様々な態様が説明される。以下の説明において、説明の目的のために、1つまたは複数の態様の全体の理解を提供するために多数の特定の詳細が述べられる。しかしながら、様々な態様は、これらの特定の詳細によらずに実行されることができることは明白であり得る。他の例において、既知の構造およびデバイスは、これらの態様を説明することを容易にするためにブロック図の形式で図示される。
【００１７】
図面に戻り、図1において、例示的なコンテンツ搬送システム100は、メディアプレイヤー104を具備するまたは含むワイヤレス対応モバイルデバイス102にメディアコンテンツを経済的に迅速に配信する。ユーザ106は、メディアコンテンツカタログ112において見つけ出されるような選択を通信するためにキオスク110によって提供されるまたはモバイルデバイス102に外部であってもよいもしくは当該デバイスに統合されていてもよいユーザインターフェース108を利用することができる。
【００１８】
コンテンツ搬送システム100のネットワークコントローラ114は、予約者メディアコンテンツ116へのアクセスを維持することによってメディア搬送を統合する。それは、予約者データベース118にしたがって提供されることができる。ネットワークコントローラ114は、ネットワーク通信モジュール120を介してベンダーキオスク110にメディアコンテンツ116を有利に事前に配置する。ベンダーキオスク110は、ネットワーク通信モジュール115によりネットワークコントローラ114と有利に通信し、ローカル記録装置122にメディアコンテンツ116を有利に記憶する。そのようなネットワークキオスク通信は、断続的であってもよく、より高い帯域幅または処理の可用可能性を利用する。したがって、事前に配置することは、低い帯域幅通信チャネル124を利用することができる。事前に配置することは、公衆交換電話網（PSTN）へのダイアルアップモデムまたはDSLモデム124のようなネットワーク通信モジュール115を利用することができる。代替的に、ブロードバンド接続は、メディアコンテンツ伝送による中断なしに他のビジネス機能の間で共有されることができる。例えば、事前に配置することは、通信帯域幅のベンダーの他の使用に影響を与えることを回避するまたは緩和するためにオフピーク時の間にケーブルモデムのようなブロードバンド接続124を利用することができる。T1ラインのような高い帯域幅接続であっても、メディアコンテンツを受信する目的のために低い帯域幅通信チャネル124を考慮されるよう様々なユーザ要求またはコンテンツのサイズによって十分に制限され得ることが認識されるべきである。代替的にまたは追加的に、ダウンロードは、ユーザ106による選択の受信の後に優先権を与えられることができる。
【００１９】
モバイルデバイス102を持ち運んでいるユーザ106は、小売店または公共の場において配置されているようなベンダーキオスク110によってAP管理モジュール128を介して管理されるワイヤレスアクセスポイント（AP）126のカバレッジエリアにエンターすることができる。したがって、選択されたメディアコンテンツを検索するために専用の努力をすることなく、モバイルデバイス102は、ベンダーキオスク110と通信を交換することができる。これに応答して、ベンダーキオスク110は、認証モジュール130によりユーザ106を認証する。これは、認証されたユーザのローカルコピーを具備することができ、または認証のためのネットワークコントローラ114における認証モジュール131へのパススルーモジュール（pass through module）として役に立つことができる。ベンダーキオスク110は、132において図示されるように、ワイヤレス・データパケット・カバレッジエリア134によって、選択されたメディアコンテンツの少なくとも一部分をワイヤレスに伝送するようAP126に命令する。これはは、他のAP（図示されていない）からの干渉または他のキューに入れられた要求に基づいてサイズを動的に調節されることができる。キオスク110は、トランザクション進行を追跡するためにおよび請求モジュール138により請求すること／クレジットのためにネットワークコントローラ114にトランザクションを報告するべく報告モジュール136を利用することができる。
【００２０】
図2および図5-8は、請求された主題にしたがって方法および／またはフロー図を例示する。説明の単純化のために、前記方法は、一連の動作として図示および説明される。主題の革新は、例示された動作によっておよび／または動作の順番によって制限されないことが理解および認識されるべきである。例えば、動作は、様々な順番でおよび／または同時に生じてもよく、および本件明細書において示されていないおよび説明されていない他の動作と一緒に様々な順番および／または同時に生じてもよい。さらに、請求された主題にしたがって当該方法を実装するためにすべての例示された動作が要求されるわけではない。さらに、当該技術分野の技術者は、当該方法は、状態図またはイベントを介して一連の相互に関係のある状態として代替的に表されることができることを理解および認識する。さらに、以下でおよびこの詳細な説明の全体を通して開示される方法は、そのような方法をコンピュータに伝送および搬送することを容易にするために製造品に記憶されることができることがさらに認識されるべきである。本件明細書において使用されるように、製造品という用語は、任意のコンピュータ可読デバイス、搬送波、または媒体からアクセス可能なコンピュータ・プログラムを含むように意図される。
【００２１】
図2を参照して、メディアコンテンツをワイヤレスに搬送するための方法150は、ネットワークコントローラからメディアコンテンツを受信するキオスクによって開始される（ブロック152）。キオスクは、メディアコンテンツを局所的に記憶する（ブロック154）。キオスクは、ワイヤレスデータプロトコル・アクセスポイントを管理することによって、潜在的な顧客またはクライアントを特徴付けることに関してモニタする（ブロック156）。ユーザ設備（例えば、モバイル通信デバイス、収束ハンドヘルドコンピュータ、アクセス端末、スマートフォン、ポータブルメディアプレイヤー、ワイヤレス対応ハンドヘルドゲーム機、携帯情報端末など）は、カバレッジエリアにエンターし、メディアコンテンツを要求する。キオスクは、予約者ポータブルデバイスから来るとして要求を認証する（ブロック158）。キオスクは、APを介して、選択されたメディアコンテンツをワイヤレスに送信する（ブロック160）。キオスクは、媒介としてクレジットを得るためにネットワークコントローラへのメディアコンテンツ搬送を完了することにおいてワイヤレス送信におけるそれの関与を報告することができる。この関与は、他の媒介を開始することまたは完了することによりメディアコンテンツの一部分のみを送信することを必要としてもよい（ブロック162）。請求のグラデーションは、様々な通信チャネルを利用するネットワークおよび／または媒介に対するコストを反映することができる。
【００２２】
図3を参照して、コンテンツ搬送システム200は、複数のワイヤレス対応ポータブルデバイス208にサービスするために経済的インセンティブを有する複数の戦略的に配置されたベンダーキオスク205、206、207を利用することによって通信ネットワーク204にわたるメディアコンテンツ202の搬送を改善する。ポータブルデバイス208は、より専用の機能（例えば、単にメディアプレイヤー）を実行するまたは1つの機能としてメディアプレイヤーを有する収束デバイス（例えば、スマートフォン）である単一のまたは分配された構造を備えるいくつかのタイプのハンドヘルド装置または持ち運ばれる装置を具備することができる。例示的な図において、ワイヤレス対応ポータブルデバイス208のポピュレーションは、ユーザ212、ワイヤレスメディア記録デバイス213、および収束ハンドヘルドコンピュータ214によって運ばれるパーソナルメディアプレイヤー（PMP）210を含むように図示される。明確さのために、メディアプレイヤー210は、通信された選択のメディアコンテンツを直ちに楽しむまたは利用することができるポータブルデバイス208とのユーザ相互作用を強調するシーケンスで図示されていることが本件開示の利益により理解されるべきである。しかしながら、ポータブルデバイス208の態様は、1つのアプリケーションとしてメディアプレイヤー210を有するハンドヘルドまたはノートブック・コンピュータ（例えば、収束ハンドヘルドコンピュータ214）のようなより広い範囲の能力を含むことができる。代替的に、ポータブルデバイス208の態様は、他のデバイス上での後の再生のためにコンテンツを経済的にダウンロードする機会を利用するワイヤレス対応のメディア記録デバイス213の能力に制限されてもよい。
【００２３】
通信ネットワーク204は、変化するデータ処理能力、相互運用性、およびカバレッジエリアの通信チャネルを提供することができる。例えば、通信ネットワーク204の部分は、メディアコンテンツ配信目的のためにバックホール・ネットワーク220として図示される公共のまたはプライベートのインターネット216、公衆交換電話網（PSTN）218および／または無線ブロードキャスト搬送波（例えば、ユニキャスト、マルチキャスト、一元、二元、WiMax、セルラ電話など）を具備することができる。例示的な図において、ベンダーキオスク207へのPTSN218を介する通信チャネルは、大きなメディアファイルをダウンロードすることについて遅いとはいえ、非常に経済的であり、および接近しているユーザ212に十分に先立って人気のカタログ選択を事前に配置する機会を提供する。
【００２４】
ネットワークコントローラ222は、予約者記録データ構造224を維持することによってコンテンツ搬送システム200および更新されたカタログに反映されるコンテンツ事前配置追跡データ構造226を管理する。セントラルコントローラ222は、いくつかの例として、搬送されたメディアコンテンツ202と結合するまたは合併するために、請求サービス228へ請求およびクレジットをリレーし、広告主232から広告230を受信する。セントラル・オペレータ・インターフェース（I/F）234は、セントラルコントローラ222の人間の相互作用／構成、PTSN218を介するユーザ212とのオペレータ支援、または選択を予約するためまたは受信するためにユーザウェブ入力／出力（I/O）サービス236を容易にすることを提供することができる。238において図示されるようなウェブ対応のポータブルデバイス208は、選択をするためにウェブI/O238を組み込むことができる。メディアコンテンツ202へのアクセスを提供するメディアプロバイダ240は、エンドユーザ・アクセスのためのデータ権管理（DRM）を容易にすることができ、メディアコンテンツ202に対する制限を使用することができる。コンテンツのための搬送パスおよびデータ権のための搬送パスは、互いに異なってもよいことが本件開示の利点により認識されるべきである。例えば、コンテンツは、事前にキオスクから搬送されることができるのに対し、権利は、ユーザが以前のコンテンツをいったん削除すると一般のアクセスポイントを介して搬送されることができる。他の事例として、コンテンツは、ピアPMPによって搬送されることができ、権利は、ネットワークキオスクなどを介して搬送されることができる。
【００２５】
例示的な使用の場合において、PMP210は、キオスク206のカバレッジエリアにエンターする。これは、動的に調節されることができ、選択の第1の部分を受信するという結果となる。これは、242において図示されるようにユーザ表示を含むことができる。キオスク206は、ワイヤレス対応メディア記録デバイス213およびPMP210により図示されるように複数のポータブルデバイスにコンテンツのキューに入れることを最適化することができる。例えば、キオスク206は、キュー最適化への1つのアプローチとして1つずつメディアコンテンツの搬送を完了することができる。代替的に、キオスク206が複数の利用可能なチャネルを有するときなどのように、十分な帯域幅が存在する場合、複数のデバイス210、213への同時送信が生じ得る。他の事例として、キオスクは、成功したダウンロードのために重要な冗長的符号化または再送信を要するかもしれないものを除いて、十分なチャネル品質を備えるものについての送信を優先することができる。
【００２６】
カバレッジエリアを去るまたはPMP210のシャットダウンの際、部分的なコンテンツ転送モジュール244は、部分的な転送の完全な状態を確認し、キオスク205-207へアップロードするために次の機会に関してネットワークに報告を準備し、およびいくつかの例として、再生のために部分的な転送を構成する。キオスク205-207は、データレートが、ある閾値以下（容認できないほど高いエラーレート）に落ちたことを決定することによってまたは検出された受信電力によって1つの態様においてカバレッジエリアを去ったことを決定することができる。その後、PMP210は、キオスク206からリレーされたまたは以前にダウンロードされた選択の他の部分を転送することができる他の予約ポータブルデバイス214とアッドホック・ネットワークを構成する。その後、PMP210は、キオスク207からのダウンロードを完了する。これは、PMP210からのダウンロードされた選択を達成または補完する、家庭用キオスク246と同じデバイスであってもよい。いくつかの態様において、家庭用キオスク246（例えば、セットトップ・ボックス、家庭用コンピュータ、専用デバイスなど）またはPMP210は、次に、フルサイズのディスプレイ・モニタ248上で再生するためにメディアコンテンツを流すまたはダウンロードすることができる。メディアコンテンツの配信において支援することは、ベンダーキオスク206へポータブルデバイス208からアップロードすることをさらに必要とし得る。
【００２７】
これから図4を参照して、例示的なコンテンツ搬送システム300は、通信ネットワーク302を利用することができるので、ネットワーク・セントラルコントローラ306は、予約者のPMP310へのワイヤレス送信のためのベンダーキオスク308へのメディアコンテンツの搬送を管理することができる。例示されていないが、ネットワーク302はまた、ベンダーキオスク308および他のコンポーネントへ提供される通信およびサービスを容易にするよう動作可能な基地局コントローラ、モバイル切換センター、位置決定エンティティ、グループ通信サーバーなどのような他の通信ネットワーク・コンポーネントを含むことができる。ネットワーク302は、符号分割多元接続（CDMA）、cdmaOne、cdma2000、UMTS(Universal Mobile Telecommunication System)、広帯域CDMA、GSM（登録商標）(Global System for Mobile Communication)、およびTIA/EIA-136、WiMax、DSL、ケーブル・モデム・リンクを含む任意の既知の規格にしたがって作動する任意のプライベートまたは公共のワイヤレスまたは有線の通信ネットワークであってもよい。
【００２８】
ユーザウェブ入力/出力(I/O)312は、予約の変更、請求／クレジットの検討、送信履歴、カタログ検討およびコンテンツ選択、デバイス構成セットアップ、ユーザ選好などを可能にする。セントラル・オペレータI/O314は、コンテンツ搬送システム300および顧客サービスなどの監視を容易にする。セントラルコントローラ306は、予約者アイデンティティを確認するために認証サーバーまたはモジュール316をさらに具備する。予約確認モジュール318は、現在アクティブな予約に基づくアクセス権により予約者アイデンティティを相互参照する。メディアリスト管理モジュール320は、利用可能なメディアコンテンツ、それらの構成（例えば、フォーマット、圧縮）、利用可能な位置、配信されたコンテンツカタログに関する通貨などに関するデータを維持する。デジタル権利管理モジュール322は、メディアコンテンツのために必要なまたは望ましい契約上および法定上の保護を満たすために追跡するおよび報告する不可欠なデータ暗号化を実装する。アクセスポイントへのファイル転送管理（FTM/AP）モジュール324は、メディアコンテンツをキオスク308へダウンロードするために適切なプロトコルおよび追跡を提供する。例示的な実施形態において、FTM/APは、有利に頑強であり、かつ、独立のプラットフォームまたは構成可能なプラットフォームであってもよいので、同じモジュールはまた、PMP310にワイヤレスにサーブするために新しいベンダーキオスク308へ配信されることができる。報告生成／請求モジュール326は、請求および顧客関係の機能を容易にする。ユーザウェブ・インターフェース328は、ユーザウェブI/O312と相互に作用する。
【００２９】
キオスク308は、所望のカバレッジエリアを提供するために複数のアクセスポイント（AP）330、332を管理することができる。典型的な実装において、APは、802.11nワイヤレス・プロトコルを利用することができるが、様々な近くのフィールド、個人のアクセスネットワーク、ワイヤレスアクセスネットワーク、ワイドエリアネットワーク、およびブロードキャストプロトコルは、要望どおりまたは必要に応じて様々なアプリケーションにおいて使用されることができる。ネットワーク通信チャネルは、データパケットプロトコル通信をする能力があるネットワーク通信モジュール334によって提供されることができる。代替的にまたは追加的に、PSTNモデム（例えば、DSL）336は、制限された処理能力にもかかわらず、経済的な接続を提供することができる。ワイヤレスカバレッジエリアまたはネットワーク通信チャネルの不認証の使用は、セキュリティモジュール338によって回避されることができる。
【００３０】
キオスク308は、セントラル・オペレータI/O314のような他のエンティティから全体的にコントロールされることができるが、キオスク308は、ベンダーが、構成を調節、トランザクションをモニタ、局所的に記憶されたメディアコンテンツを検討／変更、ネットワークからの優先的要求を手動で調節、ネットワークとの通信を開始するなどを可能にするために入力デバイス342および出力デバイス344を備えるベンダーのグラフィカル・ユーザ・インターフェース（GUI）340を有利に含むことができる。例えば、入力デバイス342は、キー、キーパッドおよび／またはキーボード、マウス、タッチスクリーン・ディスプレイ、マイクロフォンなどを具備することができる。ある態様において、入力デバイス342は、アプリケーション、またはプログラムまたはモジュールと相互作用するべくユーザ入力のために提供される。さらに、例えば、出力デバイス344は、オーディオ・スピーカー、ディスプレイ、ハップティック・フィードバックメカニズムなどを含むことができる。
【００３１】
いくつかのアプリケーションにおいて、キオスク308は、上で説明されたような入力デバイス348および出力デバイス350を備える公共のGUI346を具備する。公共のGUI346は、利用可能な機能を制限するためにセキュリティ・ロックアウトを備えるベンダーGUI340によって提供されることができる。公共のGUI346は、特に、あるユーザインターフェース特徴を欠くあるPMP310のために追加の相互作用を提供することができる。
【００３２】
さらに、キオスク308は、プロセッサ354およびメモリ356を具備するアクセスポイント（AP）コントローラ352として図示されるコンピュータ・プラットフォームを含むことができる。プロセッサ354は、メモリ356に記憶されるプログラムまたはモジュールまたはアプリケーションにしたがってキオスク308のオペレーションを制御する。これは、ネットワークアタッチドのローカル記録装置360として図示されるランダムアクセスメモリ（RAM）358および非揮発性メモリを具備することができる。制御機能は、例えば、単一のマイクロプロセッサにおいて、または、複数のマイクロプロセッサにおいて実装されることができる。適切なマイクロプロセッサは、汎用目的および特殊目的マイクロプロセッサ、状態マシン、およびデジタル信号プロセッサを含むことができる。さらに、例えば、プロセッサ354は、特定用途集積回路（ASIC）、または他のチップセット、論理回路、または他のデータ処理デバイスであってもよい。ASICのようなプロセッサ354または他のデータ処理デバイスは、メモリ358に記憶される、コンテンツ搬送システムモジュール362のような任意の常駐アプリケーションおよび／またはプログラムおよび／またはモジュールとインターフェースするアプリケーション・プログラミング・インターフェース（API）レイヤを実行することができる。
【００３３】
メモリ356は、キオスク308と関連するすべてのメモリを表し、ランダムアクセスメモリ（RAM）および読み出し専用メモリ（ROM）の両方、消去可能なROM（EPROM）、電子的に消去可能なROM（EEPROM）、フラッシュカード、またはコンピュータ・プラットフォームに共通の任意のメモリを含むことができる。さらに、メモリ356は、1つまたは複数のフラッシュメモリセルを含んでもよく、または磁気メディア、光学メディア、テープ、またはソフトディスクまたはハードディスクのような任意の第2のまたは第3の記録デバイスであってもよい。例えば、キオスク308のオペレーションにおいて利用されるコンピュータ・プログラム命令およびデータは、EPROM、EEPROM、および／またはフラッシュメモリのような非揮発性メモリに記憶されることができる。追加的に、メモリ356は、離散デバイス、スタックドデバイスとして実装されてもよく、またはプロセッサ354と統合されてもよい。メモリ356はまた、一時的なメモリバッファとしての使用、またはコンテンツ搬送システムモジュール362による使用に分割されるエリア、およびいずれかの使用のために指定されるエリアを含むことができる。
【００３４】
コンテンツ搬送システムモジュール362は、メディアコンテンツの搬送のために様々な機能を実行するモジュールを具備することができる。認証パススルーモジュール364は、様々なセキュリティ・プロトコル・メッセージをセントラルコントローラ306まで通り抜ける。代替的にまたは追加的に、キオスク308は、自主的認証のための十分な能力を含むことができる。記録管理モジュール366は、局所的に記憶されたメディアコンテンツ368、トランザクションレコード370、およびネットワーク・アタッチド・ローカル記録装置360におけるクライアントデータ372の登録簿を維持する。コンテンツ搬送システムモジュール362は、メディアコンテンツ366の使用を制限するために著作権／契約上の保護を実装するデータ権管理／暗号化モジュール374をさらに具備することができる。ファイル転送管理モジュール376は、PMP310へのメディアコンテンツ368の搬送を管理する。報告モジュール378は、ローカル記憶されたトランザクションレコード370のためのまたはセントラルコントローラ306への通信のためのトランザクションデータを準備する。ワイヤレスアクセス構成およびビーコン制御モジュール380は、複数のAP330、332を管理し、AP330、332によって提供されるカバレッジエリアの存在および方向に関してPMP310に警告するためにビーコン信号についてのパラメーターを設定する。ビーコン信号は、データ通信のために使用される他のコンポーネントの特定の同期／ブロードキャストチャネル能力であってもよい。代替的に、専用の無線周波数（RF）ビーコン379は、利用可能なカバレッジエリアにユーザを位置することに状況的に気付くことを向上させるために拡張された範囲信号を提供するために提供されることができる。
【００３５】
例示的な態様において、PMP310は、セルラ電話を具備することができる。PMP310が、パーソナル・デジタル・アシスタント(PDA)、衛星電話、パーム・コンピュータ、パーソナル通信サービス(PCS)デバイス、ポータブルゲームまたは音楽デバイスなどのようなブロードキャスト信号を受信することができる任意の計算デバイスを含んでもよいことが本件開示の利益により理解されるべきである。特に、PMP310は、キオスク308からのメディアコンテンツの要求および受信を制御するアクセス端末（AT）コントローラ380として図示される計算プラットフォームを具備する。この受信は、受信機384および送信機386を有するワイヤレス通信インターフェース・モジュール382によってなされることができる。PMP310は、受信機390および送信機392を備える第2のワイヤレス通信インターフェース・モジュール388によって図示される同時のセッションを維持することができる2元的モードデバイスであってもよい。同時のセッションは、同じ無線アクセス技術に対してまたは異なる無線アクセス技術に対してであってもよい。例えば、PMP310は、セルラ通信および802.11データ通信に対応のスマートフォンに統合されることができる。例示的な態様において、ポータブル電力供給（例えば、バッテリー、ウルトラ・コンデンサー、燃料電池、ソーラーパネル、動き電力生成器など）394は、向上された移動性を提供する。増加したサービスライフは、電力消費を低減するためにワイヤレス通信インターフェース・モジュール382、388によりスリープ／ウェイク・サイクルにエンターすることによって達成されることができる。
【００３６】
PMP310は、GPS（全地球測位システム）衛星397に対応しているように図示されている位置モジュール396から地理的な位置情報を有利に感づくまたは受信することができる。しかしながら、位置モジュール396は、代替的にまたは追加的に、地球上ベースのワイヤレス通信ネットワーク（例えば、CDMAネットワーク）に対応することができることに注意されるべきである。ここで、位置決定のすべてまたはいくつかの部分は、基地局との通信に基づいてもよく、および／または、ここで、位置決定計算は、ネットワークサービスによって全てまたは部分的に実行される。代替的にまたは追加的に、位置モジュール396は、位置の変更を検出する慣性のプラットフォームを具備することができる。動きセンサー398は、動きに基づいて加速、速度、および位置を計算するためのデータを提供する加速度計または他のトランスデューサを具備することができる。動きセンサー398はまた、角度を見るために自動的にディスプレイを調節するためのオリエンテーションデータを提供することができる。動きセンサー398はまた、キオスク308への接続をいつ動的に捜すかまたはスリープ／ウェイク・サイクルをいつ変えるかを決定するためにユーザ相互作用データを提供することができる。例えば、PMP310が全く動いていないとき、静止状態は、公認されていないAP330、332へのアクセスについて確認をすることで決定されることができ、おそらく全てを一緒にシャットダウンするまたはスリープ期間を延ばすという結果となる。代替的にまたは追加的に、位置モジュール396は、PMP310の位置を決定するネットワークデバイス（図示されていない）から方向探知／信号強度／ノード位置情報を受信することができる。
【００３７】
ATコントローラ380は、別々のGUI（例えば、家庭用PCベースの同期ソフトウェア）によって全部または部分的に間接的に制御されることができる。例示的な態様において、入力デバイス402および出力デバイス404を備える統合されたGUI400は、ユーザが、構成を調節し、トランザクションをモニタし、局地的に記憶されたメディアコンテンツを検討／変更し、コンテンツを再生し、メディアコンテンツのカタログから選択をし、予約者更新のためのようなネットワークにより通信を開始するなどをすることを可能にする。いくつかの態様において、キオスクまたは他のネットワーク接続の範囲外の間に、これらのユーザ入力がなされることができる。例えば、入力デバイス402は、キー、キーパッドおよび／またはキーボード、マウス、タッチスクリーン・ディスプレイ、マイクロフォンなどのようなメカニズムを具備することができる。ある態様において、入力デバイス402は、アプリケーション、またはプログラムまたはモジュールと相互作用するためにユーザ入力に備える。さらに、例えば、出力デバイス404は、オーディオ・スピーカー、ディスプレイ、ハップティック・フィードバック・メカニズムなどを含んでもよい。
【００３８】
ATコントローラ380は、プロセッサ406およびメモリ408を具備する。プロセッサ406は、メモリ408に記憶されるアプリケーションまたはプログラムまたはモジュールにしたがってPMP310のオペレーションを制御する。これは、ネットワークアタッチドのローカル記録装置412として図示されているランダムアクセスメモリ（RAM）410および非揮発性メモリを具備してもよい。制御機能は、例えば、単一のマイクロプロセッサにおいて、または複数のマイクロプロセッサにおいて実装されることができる。適切なマイクロプロセッサは、汎用目的および特殊目的マイクロプロセッサ、状態マシン、およびデジタル信号プロセッサを含むことができる。さらに、例えば、プロセッサ406は、特定用途集積回路（ASIC）、または他のチップセット、論理回路、または他のデータ処理デバイスであってもよい。プロセッサ406またはASICのような他のデータ処理デバイスは、任意の常駐アプリケーション、および／またはメモリ410に記憶されるコンテンツ搬送システムモジュール414のようなプログラムおよび／またはモジュールとインターフェースするオペレーティング・システム／アプリケーション・プログラミング・インターフェース（API）レイヤ413を実行することができる。API 413は、PMP310上で実行する実行時間環境であってもよい。1つのそのような実行時間環境は、カルフォル二アのサンディエゴにあるカルコム社によって開発されたワイヤレスのための2値実行時環境(商標登録) (BREW(商標登録))ソフトウェアである。例えば、PMP310上のプログラムまたはモジュールまたはアプリケーションの実行を制御するように作動する他の実行時環境が利用されてもよい。
【００３９】
メモリ408は、キオスク308と関連するメモリの全てを表し、ランダムアクセスメモリ（RAM）および読み出し専用メモリ（ROM）の両方、消去可能なROM（EPROM）、電子的に消去可能なROM（EEPROM）、フラッシュカード、またはコンピュータ・プラットフォームに共通の任意のメモリを含むことができる。さらに、メモリ408は、１つまたは複数のフラッシュメモリセルを含んでもよく、または磁気的メディア、光学的メディア、テープ、またはソフトディスクまたはハードディスクのような任意の第２または第3の記録デバイスであってもよい。例えば、PMP310のオペレーションにおいて利用されるコンピュータ・プログラム命令およびデータは、EPROM、EEPROM、および/またはフラッシュメモリのような非揮発性メモリに記憶されることができる。追加的に、メモリ408は、離散デバイス、スタックドデバイスとして実装されてもよく、またはプロセッサ408と統合されていてもよい。メモリ408はまた、一時的なメモリバッファとして使用、またはコンテンツ搬送システムモジュール414による使用のために分割されるエリアを含んでもよく、およびいずれかの使用のために設計されるエリアを含むことができる。
【００４０】
コンテンツ搬送システムモジュール414は、メディアコンテンツの搬送のために様々な機能を実行するモジュールを具備することができる。認証クライアント416は、ローカル記録装置412に記憶される予約者キー418を使用してセントラルコントローラ306の認証サーバー416に認証パススルーモジュール364を通って通信する。メディアコンテンツリスト管理420は、ダウンロードのために選択されるメディアおよび部分的にまたは完全に受信されるおよびローカル記録装置412に記憶されるメディアコンテンツ422を追跡する。DRM／復号モジュール424は、再生または他の承認された使用（例えば、アタッチドモニタへのストリーミング）のためにメディアコンテンツ422を復号するために適切なキーを利用する。ファイル転送管理モジュール426は、部分的な受信／送信を含むメディアコンテンツの受信または送信を追跡することを支援する。コンテンツ消費（例えば、プレイヤー）モジュール428は、ローカル・ユーザ出力デバイス402上で再生を提供する。報告モジュール430は、ローカルロギング（local logging）のためにおよび／または請求／クレジット目的のためにセントラルコントローラ306へ報告するためにトランザクションデータを準備する。ワイヤレスアクセス構成／ビーコンモジュール432は、キオスク308、他のPMP310へのP2P、またはバックホール・ネットワーク（図4において図示されていない）からのブロードキャスト信号と通信するのに適切なワイヤレスセットアップを構成する。ある能力は、分配または省略されることができ、この図は、例示であることが本件開示の利益により認識されるべきである。例えば、ユーザインターフェースは、外部にあってもよく、およびさらに遠隔であってもよい。いくつかの態様において、ポータブルメディアプレイヤー310は、外部のディスプレイおよびコントロールに結合されるポータブルのワイヤレス対応メディア記録デバイスによって機能的に達成される。例えば、家庭用のメディアシステム（図示されていない）のドッキング局は、記憶されたメディアコンテンツにアクセスすることができる。
【００４１】
図5を参照して、コンテンツ搬送システム（CDS）502のシナリオ500は、ユーザのPMP（ポータブルデバイス）504にメディアコンテンツが押し付けがましくなく（nonobtrusively）かつ経済的にどのように搬送されることができるかを例示する。ユーザによる（CDS）502との相互作用に先立って、ベンダーキオスク506は、クライアントPMP510として図示されるポータブルデバイスのポピュレーションに508において図示されるようにメディアコンテンツを配信することができる。これらのトランザクションは、512において図示されるようにCDSセントラルコントローラ514への報告という結果となる。これは、媒介として役に立つためにベンダーをクレジットし、およびCDS502を介して受信されおよび選択されるメディアのためにクライアントに請求するような請求サービス516に請求およびクレジット情報をパスする。これらのトランザクションは、例えば、どのジャンルのメディアコンテンツ、また、どの位置がより利益があるおよび／またはより要求されるかを決定するためにさらに特徴付けられてもよい。この決定は、CDS502の様々なエンティティの全部または部分的に実行されることができるが、クライアントのこの特徴付けは、518において、キオスクC506において生じるように図示されている。これは、520において図示されるようにCDSセントラルコントローラ514からコンテンツをプルする（再び優先させる）ために当該結果を使用する。
【００４２】
いくつかのアプリケーションにおいて、コンテンツ搬送システムは、したがって、APを活用することができることが本件開示の利益により認識されるべきである。APは、APによる搬送のために利用可能なコンテンツを調節するために使用されるそれのカバレッジエリアにおけるユーザのポピュレーションを特徴付ける。例えば、APは、モバイルデバイスによって明かされる共有ユーザプロファイルにアクセスすることができる。他の事例として、APは、ネットワーク・エンティティにおいて維持されるユーザプロファイルによりモバイルデバイスのための識別子を相互参照することができる。したがって、キオスクまたはキオスクによって管理される特定のAPが特定のポピュレーション統計学（例えば、ユーザの80%は男性で、18-25歳）を有すると検出されるとき、キオスクのためにプッシュされるまたはプルされるコンテンツは、それに応じて変更されることができる。PMP504のユーザは、ユーザ入力／出力(I/O)デバイス522を介してCDS502からのサービスにアクセスすることができる。例えば、I/Oは、グラフィカル・ユーザ・インターフェース、人間または自動の電話インターフェース、ウェブポータル、ハップティック・インターフェースなどであってもよい。さらに、このユーザI/O522は、PMP504に統合されたまたは外部のもの（例えば、家庭用またはオフィス・ワークステーション）であってもよい。ユーザI/O522は、524において図示されるようにネットワーク予約情報を構成することができ、ネットワーク通信、キオスク通信、またはピア・ツー・ピア（P2P）通信のための技術的または優先的設定を構成することができる。例えば、ユーザは、キオスクまたは他の予約者へコンテンツをアップロードすることにおいてバッテリー電力を消費しないことを好むだろう。そうでなければ、ユーザは、クレジットを受信するためにメディアコンテンツ搬送に関与することを好むだろう。ユーザは、位置またはユーザアイデンティティをキオスクまたは他の予約者デバイスに対して自動的に明らかにすることを好むまたは好まないだろう。ダウンロードのために予め位置されたコンテンツにおいてより良くサーブされるために、ユーザは、所定のコンテンツまたは頻繁な位置を明示的に識別することができるポピュレーション学の情報を共有することを好むだろう。ユーザI/O5
22はまた、メディアリストカタログから選択されるようなメディアコンテンツがダウンロードされるために予約にしたがって選択をすることができる。これらの予約／ポピュレーション学の情報／コンテンツ選択は、526において図示されるようにユーザI/O522からCDSセントラルコントローラ514に送信される。これは、インターネット接続、PTSN、郵送用の形式などのような通信チャネルを利用することができる。CDSセントラルコントローラ514は、次に、528において図示されるように、それに応じてユーザプロファイルを更新する。
【００４３】
ユーザPMP504は、530において図示されるように生成されるよう位置報告に気付いているまたはもたらしていてもよい。例えば、セルラ、ショートメッセージサービス（SMS）、802.11アクセスポイントなどは、PMP504からのビーコンに気付くことができる。特定のキオスク位置に一般のクライアントについてのポピュレーション統計上のプロファイルまたはユーザを明確に特徴付ける目的のためにダウンロードについて保留中であるメディアコンテンツ選択がないとき、そのような位置情報が集められることができる。位置報告は、単にカバレッジエリア内にあるものとして近似のベンダーキオスクA532として図示される受信エンティティによって決定されることができる。代替的にまたは追加的に、位置報告は、PMP504によって明かされる地理的座標に基づいてもよい。特に、通信モダリティ（modalities）の場合は、本質的に大きなカバレッジエリア（例えば、WiMax）を有する。これに応答して、キオスクAは、自立的にまたはCDSセントラル514のような遠隔ネットワークと通信することのいずれかによって534におけるユーザのPMP504を認証し、データ通信範囲よりも広い範囲のビーコンについての近い将来の到着を報告する。代替的にまたは追加的に、キオスクA532は、CDSセントラルコントローラ514への周期的な報告のためにそのような情報を収集する。
【００４４】
いくつかの実装において、またはキオスクA532のようなあるキオスクの場合、CDSセントラルコントローラ514からの高い帯域幅接続が存在し得る。この例において、CDSセントラルコントローラ514は、536において図示されるようにユーザプロファイルをモニタすること、保留中の選択ダウンロードおよび位置追跡を含むことができる。538において図示されるようにキオスク532にプッシュするべくコンテンツを識別するためにCDSセントラルコントローラ514のための十分な時間が存在することができる。キオスクA532は、540において図示されるように選択されたメディアコンテンツの一部分をPMP504に配信する。いくつかの例において、PMP504とキオスクA532との間の接続は、不十分な時間、キオスク532が時間内にメディアコンテンツの全体のコピーを有していないこと、いずれかのデバイスの電力低下などによるように、選択されたコンテンツの全体のダウンロードの前に終了する。これに応答して、キオスクA532は、542において図示されるようにCDSセントラルコントローラ514への部分的な配信を報告する。これは、次に、544において図示されるように請求サービス516へクレジット報告を送ることによって応答する。
【００４５】
PMP504は、カバレッジエリアの間で移行するとき、545において図示されるように低い電力発見モードにエンターすることができる。無線周波数（RF）トランシーバー回路は、キオスク532を発見しおよび獲得するために断続的に活発にされることができる。加えて、ダウンリンクとアップリンクのスロット割り当ての間のカバレッジエリア内にあるとき、低電力状態が使用されることができる。代替的にまたは追加的に、ユーザが、ダウンロードを待っている保留中の選択をしていないとき、または電力供給状態が、ある低いレベルに達するときのように、自動でまたは手動で設定する電力セービングモードは、サービスライフを拡張するためにエンターされ得る。
【００４６】
いくつかの実装において、またはキオスクB546のようなあるキオスクの場合、低い帯域幅通信チャネルは、CDSセントラルコントローラ514からメディアコンテンツを受信するために存在する。例えば、チャネルは、PTSN接続である。他の事例として、チャネルは、そのようなメディアダウンロードに対する小さい割り当てを残す他の目的のためにたくさん利用される。CDSセントラルコントローラ514は、548で図示されるように位置予測プロセスを実行することができる。これは、キオスクの位置に頻繁な一般ポピュレーションを特徴付けることを必要とし得るか、または過去の行動によって予測されるまたはキオスクB546のカバレッジエリア内となるよう現在の軌道に基づいて予測される特定のユーザをターゲットとすることができる。この予測により、CDSセントラルコントローラ514は、550において図示されるようにキオスクB546に先立ってメディアコンテンツをプッシュすることができる。メディアコンテンツはまた、551において図示されるようにキオスク546のカバレッジエリアを訪れるときアップロードすることを自発的にするクライアントPMP510からキオスク546によって受信されることができる。例えば、クライアントPMP510は、記憶されたコンテンツを共有することに意欲的であるためにCDSセントラルコントローラ514からあるクレジットを受信し得る。その後、PMP504は、カバレッジエリアにエンターし、552において図示されるようにコンテンツのさらなる部分の配信を受信する。これは、完了する前に終了するかもしれない。これに応答して、キオスクB546は、ある点において、554における部分的な配信に関してCDSセントラルコントローラ514に報告をする。これは、次に、556において、請求サービス516にクレジット報告をする。PMP504は、キオスクの次の訪れの際にダウンロードを再開するプロセスをサポートするためにダウンロード・ストップ・ポイントを記憶する。
【００４７】
その後、ユーザのPMP504は、508に戻って図示されるようにメディアコンテンツを以前に受信したクライアントPMP510のP2P範囲内に来る。代替的に、クライアントPMP510は、キオスクC506の範囲を拡張するためにアッドホック・ネットワークにおいて媒介のノードとして役に立つことができる。PMP504、510は、558において図示されるように所望の選択および搬送のために利用可能なコンテンツを含むコンテンツリストを共有する。選択されたメディアコンテンツの搬送を完了せよとの要求に応答して、クライアントPMP510は、560において図示されるように選択の残りの部分をユーザのPMP504に送信する。キオスクC506は、561において図示されるように、他のデバイスから同時にまたは連続してメディアコンテンツを搬送または受信することができる。
【００４８】
キオスクC506は、ユーザのPMP504へ広告されるピア・ツー・ピアである局所的に利用可能である追加の選択（例えば、562において図示されるように局所的に利用可能であるものが提供されることができることについて注釈を反映する更新されたカタログ）を有することができる。PMP510がネットワーク通信内にあるとき、選択されたメディアコンテンツの完了した搬送の報告が、例えば、564において図示されるようにキオスクC506へなされる。これは、CDSセントラルコントローラ514にリレーされる。これは、次に、メディアコンテンツの搬送を支援するためにクライアントPMP510をクレジットすることができる、566において図示されるように請求／クレジット報告を生成する。メディアコンテンツが搬送されたことにより、ユーザのPMP504は、568において図示されるようにメディアコンテンツを再生することができる。これは、統合プレイヤーまたは外部のデバイスであってもよい。
【００４９】
図6を参照して、コンテンツ搬送システム（CDS）に関与するためにモバイルデバイス（例えば、PMP）のための例示的な方法600が例示される。602において図示されるように選好が確立される。これは、デバイス制限、イメージ圧縮品質によるダウンロード時間トレードオフ、ユーザ選好、消費される帯域幅のための予約レートなどによって命令され得る。ブロック604において、モバイルデバイスは、ユーザ選好、CDS認証、予約キーなどに関する情報を受信することができる（特に、例えば、ここで、サービスは、家庭用のワークステーションのような他の通信チャネルを介して全部または部分的に確立される）。
【００５０】
ブロック606において、モバイルデバイスの移動に気づかれるかどうかに関して決定がなされる。そうであるならば、スリープサイクル（ブロック608）は、メディアコンテンツを要求および受信するためにキオスクまたは同様のアクセスポイントまたはアクセスノードを検出するために調節されることができる。いくつかの態様において、モバイルデバイスは、報告または内部使用のためにそれ自身の位置を追跡する（ブロック610）。例えば、モバイルデバイスは、過去のセッションを覚えていることができる、またはキオスクのカバレッジエリアが近いことを決定することを可能にする位置相互参照を有することができる（ブロック612）。そうであるならば、スリープサイクルはまた、セッション開始を促進させるために調節されることができる（ブロック614）、またはビーコン開始されることができる。例えば、ビーコンは、より長い範囲であってもよいが、セッション・パラメータを交渉するためにデータレート制御信号を制限されてもよいので、データ送信は、全体のデータ通信のための範囲内で短い時間の期間の有効な使用をする。
【００５１】
例示的な実装において、モバイルデバイスの電力セーブモードは、したがって、予め決定された時間においてウェイクアップすることを含む。これは、ビーコン信号を見落とすまたは衝突することを回避するために同期化された時間を具備することができる。代替的に、APのような１つの集まりは、モバイルデバイスによる比較的短いウェイキング期間がカバレッジエリアについてリッスンするために十分である、十分な期間および反復の搬送波（ビーコン）信号を提供する。さらなる代替として、APは、ウェイキング期間の間のモバイルデバイスからの非常に簡単なビーコン信号は、APが通信セッションを開始するためにモバイルデバイスのスリープサイクルに位置する、識別する、または同期するために十分である、十分に長いリッスン期間（例えば、連続的に）を有することができる。ブロック616において、ワイヤレスAPが利用可能であるかどうかに関する決定がなされる。そうであるならば、ブロック618において認証が生じる。CDSネットワーク・エンティティは、ネットワーク通信外の間にモバイルデバイス上でなされた任意の選択要求または実現に対して更新されることができる（ブロック620）。モバイルデバイスは、ブロック622においてワイヤレスAP（キオスク）によってキャッシュされるまたは記憶される要求されたコンテンツの少なくとも一部分を受信することができる。ブロック624において、キオスクがモバイルデバイスからコンテンツを要求した場合、ブロック626において、要求されたコンテンツは、アップロードされることができる。
【００５２】
ブロック616において、キオスク・ワイヤレスAPが利用可能でない場合、他の予約者モバイルデバイスに、またはキオスクのためのノードを有するアッドホック・ネットワークにP2Pワイヤレス接続が可能であるかどうかのさらなる決定がブロック628においてなされることができる。そうであるならば、利用可能なコンテンツのリストは、交換されることができ（ブロック630）、および優先的なコンテンツの少なくとも一部分についての要求および搬送がなされてもよい（ブロック632）。
【００５３】
ブロック628において、P2Pが利用可能でない場合、継続したモニタリングのためにブロック606に処理が戻ることにより、位置は更新され（ブロック634）、ビーコン設定が更新され、およびスリープサイクルが調節されまたは実施される（ブロック638）ことができる。
【００５４】
選択されたメディアコンテンツの全体の受信の前または後に、ブロック640においてモバイルデバイスが、受信されたコンテンツをカタログに入れる。これは、再生のためにDRM復号キーのデータ保全性および適用性を確認することを含む。搬送における様々なエンティティの関与は、クレジット／請求の目的のためにログ記録されることができる。ブロック642において、部分的な搬送の例として、受信されるコンテンツは、ブロック644において再生するのに適した形式に併合されることができる。これは、結びつけることおよび復号することを必要とし得る。いくつかの態様において、ブロック646において、家庭用ネットワーク接続が利用可能であるかどうかに関する決定がなされる。そうであるならば、これは、外部のデバイス上で再生するためにブロック648においてコンテンツをアーカイブすることまたはデータロスに対して保護することを可能にする。
【００５５】
図7を参照して、コンテンツ搬送システムに関与するキオスク／ワイヤレスアクセスポイントのための例示的な方法700が例示される。遠隔的にまたはキオスクにおいて、例えば、ユーザからポピュレーション統計学上の情報を受信すること、コンテンツ・トランザクションを分析すること、事例の経験(anecdotal experience)またはユーザ要求から特徴を手動で入力することなどによってブロック702において、位置におけるクライアントの特徴付けが決定されることができる。キオスクは、予期される将来のクライアントのためのメディアコンテンツをプルすることができる（ブロック704）。
【００５６】
キオスクは、カバレッジエリア内のクライアントに気づきおよび報告することができる（ブロック706）。例えば、不関与のワイヤレス対応モバイルデバイスの数は、予約キャンペーンの有効性に関するマーケティングデータを算出することができる。特定のデバイス識別子の存在は、予約者か否か、行動のパターンを推論するために使用されることができる。気づかれたがメディアコンテンツについて選択をしていない予約者は、予約者にさらに広告する機会を識別することができる。
【００５７】
ブロック708において、キオスクは、予期されるモバイルデバイスのためにネットワークからプッシュされるメディアを受信する。例えば、モバイルデバイスの軌道は、他のアクセスポイントとの最近の遭遇または事前に位置するメディアコンテンツに適した時間フレーム内で差し迫った到達を示す行動に基づいて予測される。
【００５８】
ブロック710において、キオスクは、広告および選択されたメディアコンテンツを搬送するためにAPワイヤレスネットワークを維持することのみならず離れたデバイスへのアッドホック・ネットワーク接続も維持する。ブロック712において、予約者に広告することに加えて、キオスクは、即時搬送のためにキャッシュされる利用可能なメディアコンテンツに関してまだ予約者ではないワイヤレス対応デバイスに広告を有利に送信することができる。
【００５９】
ブロック714において、モバイルデバイスがメディアコンテンツの要求をしたかどうかに関する決定がなされる。そうであるならば、ブロック716において、モバイルデバイスは認証される。この認証は、ローカル予約者データベースに基づいてオフラインにされ得る、またはネットワークCDSにより調整することによってオンラインにされ得る（ブロック718）。複数のモバイルデバイスの間の配信は、送信をキューに入れることによって管理される（ブロック719）。最適なキューは、合理的に最大のレートで転送することによって1つの態様において達成されることができる。ここで、第1のリクエスタは、コンテンツを受信することができ、これは、残りの帯域幅を与え、その後のリクエスタにコンテンツをダウンロードする前に送信の完了を待つ。そのような最適化は、リンク品質および各モバイルデバイスへのチャネル帯域幅制限に少なくとも部分的に基づいてもよい。キューに入れることはまた、次に、モバイルデバイスのうちの1つから第2の要求を実行する前に各モバイルデバイスからの単一の要求を満たすことによって利用可能なエアリンク帯域幅を割り当てることができる。送信を最適化することはまた、各モバイルデバイスによるリンク品質を考慮に入れることができる。例えば、リンク品質が低い場合、あるデバイスは、低い優先性が与えられ得るまたは無視され得るので、全体的な成功したデータ搬送レートが達成される。要求に応答して、ブロック720において、識別された（選択された）コンテンツの少なくとも一部分は、モバイルデバイスに送信される。この送信は、カバレッジエリアにわたるセッション継続性を拡張するためにブロック720においてキオスクによってコントロールされるアクセスポイントの数の中で調整されることができる。ブロック722において、モバイルデバイスが、キオスクによって望まれる記憶されたメディアコンテンツを含むかどうかの決定がなされる。そうであるならば、ブロック724において要求がなされ、ブロック726においてアップロードが受信される。いくつかの例において、モバイルデバイスは、バッテリー電力を保つために拒否をすることができる。ブロック728において、通信が失われる。搬送のために送信されるメディアコンテンツの量の少なくとも近似が、ブロック724において参照クレジットについて報告される。したがって、ネットワークCDSに関してプッシュされるまたはプルされる、またはモバイルデバイスからアップロードされるとして上で説明された、伝送の1つまたは複数のタイプによってメディアコンテンツを受信することからキオスクは利益を得ることが本件開示の利益により認識されるべきである。
【００６０】
図8を参照して、コンテンツ搬送システムに関与するネットワーク・セントラルコントローラのための例示的な方法800が例示される。ブロック802において、媒介として動作するキオスクベンダーのみならずメディアコンテンツをエンドユーザとして受信するためのモバイルデバイスとして関与するものを含む予約者データベースが維持される。ブロック804において、モバイルデバイスについての位置報告が追跡されおよび更新される。ブロック806において、コンテンツダウンロードは、キオスクによる要求、個々のモバイルデバイスからのパススルー要求、過去のトランザクションの特徴付け、または特定のキオスク位置についてのポピュレーション統計データに基づく予測に基づいてキオスクのためにキューに入れられる。ブロック808において、高いトラフィックエリアの分析は、インフラストラクチャの増加を保証するためにベンダー収入を生成することのみならず、CDSのカバレッジエリアを拡張するために他のベンダーキオスクに関して可能性を有する位置を識別することができる。ブロック810において、特定のトランザクションが、完了の期限が過ぎているかどうかに関して決定がなされる。そうであるならば、ネットワークは、搬送を満たすために、モバイルデバイスへのバックホール・ネットワーク送信をスケジュールするか、またはキオスクキューへのダウンロードを優先することができる。周期的に、受信されたトランザクション報告は、キオスクまたは予約しているモバイルデバイスへのP2P搬送およびベンダーをクレジットするために使用されることができる。さらに、モバイルデバイスは、メディアコンテンツのダウンロードのために請求されることができる（ブロック818）。
【００６１】
上で説明されたことは、様々な態様の事例を含む。これは、もちろん、様々な態様を説明する目的のためにコンポーネントまたは方法の全ての考えられる組み合わせを説明することは可能ではないが、当該技術分野の技術者は、多くのさらなる組み合わせおよび置き換えが可能であることを認識することができる。したがって、主題の詳細な説明は、添付の特許請求の範囲の要旨および範囲内にあるようすべてのそのような変更、修正、および変化を包含するよう意図される。
【００６２】
本件出願において使用されているように、「コンポーネント」、「モジュール」、「システム」、および同様の語は、コンピュータ関連のエンティティ（ハードウェア、ハードウェアとソフトウェアの組み合わせ、ソフトウェア、または実行中のソフトウェアのいずれか）を指すよう意図されている。例えば、コンポーネントは、プロセッサ上で実行中のプロセス、プロセッサ、オブジェクト、実行可能ファイル、実行スレッド、プログラム、および／またはコンピュータであってもよい。しかし、これらに限るものではない。例として、サーバー上で実行中のアプリケーションおよびサーバーの両方は、コンポーネントであってもよい。1つまたは複数のコンポーネントは、プロセスおよび／または実行スレッドの中に在ることができる。また、コンポーネントは、1つのコンピュータに局所化されたもの、および／または２つまたはそれ以上のコンピュータ間で分散されたものであることができる。
【００６３】
本件明細書において、「例示的(exemplary)」という語は、例(example)、実例(instance)または例証(illustration)として役に立つことを意味するために使用される。本件明細書において、「例示的(exemplary)」として記述されるいかなる態様または設計も、他の態様または設計に比べて必ずしも好ましいまたは有利であると解釈されるべきではない。
【００６４】
特に上で説明されたコンポーネント、デバイス、回路、システム、および同様のものによって実行される様々な機能および当該機能に関して、そのようなコンポーネントを説明するために使用される用語（「手段」の参照を含む）は、本件明細書において例示された例示的な態様における機能を実行する、開示された構成に対して構造的に同等でないとしても、説明されたコンポーネント（例えば、機能的同等物）の指定の機能を実行する任意のコンポーネントと表示されない限り当該コンポーネントに対応するよう意図される。この点では、様々な態様は、様々な方法の動作および／またはイベントを実行するためのコンピュータ実行可能命令を有するコンピュータ可読媒体のみならずシステムを含むことも認識されるだろう。
【００６５】
さらに、特定の特徴は、様々な実装のうちのただ1つに関して開示されていてもよいが、そのような特徴は、任意の所与のまたは特定のアプリケーションについて望ましいおよび有利であり得るものとして他の実装の1つまたは複数の他の特徴と結合されていてもよい。用語「含む(include)」および「含んでいる（including）」およびそれらのものの変形が詳細な説明または特許請求の範囲のいずれかにおいて使用される限りにおいて、その語は、用語「具備する(comprising)」と同じような意味合いで包括的であるように意図されている。さらに、特許請求の範囲の詳細な説明のいずれかで使用されるように用語「または」は、「非排他的なまたは」となるよう意味される。
【００６６】
さらに、理解されるように、開示されたシステムおよび方法の様々な部分は、人工的なインテリジェンス、機械の学習能力、または知識またはルールに基づくコンポーネント、サブコンポーネント、プロセッサ、手段、方法、またはメカニズム（例えば、ベクトル機械、ニューラル・ネットワーク、エキスパート・システム、ベイズ信念ネットワーク、ファジィ論理、データ機能エンジン、分類器など）を含むまたはこれらから成ってもよい。そのようなコンポーネントは、とりわけ、より適応性のあるおよび有効的およびインテリジェントなシステムおよび方法の部分を作るためにそれによって実行されるあるメカニズムまたはプロセスを自動化することができる。
【００６７】
上で説明された例示的なシステムを考慮して、開示された主題にしたがって実装されることができる方法は、様々なフロー図に関して説明された。説明の単純化の目的のために、方法は、一連のブロックとして図示されおよび説明されているが、主張される主題は、ブロックの順番によって制限されず、いくつかのブロックは、本件明細書において図示されるおよび説明されるものとは異なる順番および／または他のブロックと同時に生じてもよい。さらに、本件明細書において説明される方法を実装するためにすべての例示されるブロックが必要とされなくてもよい。さらに、本件明細書において開示される方法は、コンピュータにそのような方法を伝送および転送することを容易にするために製造品上に記憶されていることができることがさらに認識されるべきである。本件明細書において使用されるように、製造品という用語は、任意のコンピュータ可読デバイス、搬送波、またはメディアからアクセス可能なコンピュータ・プログラムを含むように意図される。
【００６８】
さらに、1つまたは複数のバージョンは、ソフトウェア、ファームウェア、ハードウェア、または開示された態様を実装するためにコンピュータをコントロールするためのそれらの任意の組み合わせを提供するための標準のプログラミングおよび／またはエンジニアリング技術を使用する方法、装置、または製造品として実装されてもよい。本件明細書において使用されているような「製造品」（または代替的に、「コンピュータプログラム・プロダクト」）という語は、コンピュータ可読デバイス、搬送波、または媒体からアクセス可能なコンピュータ・プログラムを含むよう意図されている。例えば、コンピュータ可読媒体は、以下のものに限られるわけではないが、磁気記録デバイス（例えば、ハードディスク、フレキシブルディスク、磁気ストリップなど)、光ディスク(例えば、コンパクトディスク(CD)、デジタル・バーサタイル・ディスク（DVD）など)、スマートカード、およびフラッシュメモリーデバイス(例えば、カード、スティック)を含むことができる。さらに、搬送波は、インターネットまたはローカルエリア・ネットワーク（LAN）のようなネットワークにアクセスすることにおいてまたは電子メールを送信および受信することにおいて使用されるもののようなコンピュータ可読電子データを搬送するために採用されることができることが認識されるべきである。もちろん、当該技術分野の当業者は、開示された態様の範囲から逸脱することなくこの構成に対して多くの修正がなされてもよいことを認識するだろう。
【００６９】
本件明細書において開示された実施形態に関係して記述された様々な例示的な論理、論理ブロック、モジュール、および回路は、汎用目的プロセッサ、デジタル信号プロセッサ（DSP）、特定用途集積回路（ASIC）、フィールドプログラマブルゲートアレイ（FPGA）または他のプログラマブル論理デバイス、離散的ゲートまたはトランジスタ論理、離散的ハードウェアコンポーネント、またはこれらのものの任意の組み合わせであって、本件明細書記載の機能を実行するように設計されたものによって実装または実行されることができる。汎用目的プロセッサは、マイクロプロセッサであってもよいが、その代わりに、任意の従来のプロセッサ、コントローラ、マイクロコントローラ、または状態機械であってもよい。プロセッサは、コンピュータ計算デバイスの組み合わせとして、例えば、DSPとマイクロプロセッサとの組み合わせ、複数のマイクロプロセッサ、DSPコアと結合した1つまたは複数のマイクロプロセッサ、または任意の他のそのような構成として実装されることもできる。さらに、少なくとも1つのプロセッサは、上で説明された1つまたは複数のステップおよび／または動作を実行するために実施可能な1つまたは複数のモジュールを具備することができる。
【００７０】
本件明細書において開示された態様に関係して記述された方法またはアルゴリズムのステップおよび／または動作は、ハードウェア、プロセッサによって実行されるソフトウェアモジュール、またはその2つの組み合わせにおいて直接具体化されることができる。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当該技術分野において既知の任意の他の形式の記憶媒体の中に在ってもよい。記憶媒体は、プロセッサが記憶媒体から情報を読み出す、または記憶媒体に情報を書き込むことができるように、プロセッサに結合されていてもよい。その代わりに、記憶媒体がプロセッサと一体化されていてもよい。さらに、いくつかの態様において、プロセッサおよび記憶媒体は、ASICの中に在ってもよい。追加的に、ASICは、ユーザ端末内にあってもよい。代替的に、プロセッサおよび記憶媒体は、ユーザ端末における離散コンポーネントとして存在してもよい。さらに、いくつかの態様において、方法またはアルゴリズムのステップおよび／または動作は、機械可読媒体および／またはコンピュータ可読媒体上の1つまたは任意の組み合わせまたは1セットのコードおよび／または命令として存在してもよい。これは、コンピュータプログラム・プロダクト内に組み込まれてもよい。本件明細書の参照によって組み込まれていると考えられる任意のパテント、出版、または他の開示物質の全部または部分は、本件明細書に組み込まれる既存の説明、主張、または本件開示において述べられる他の開示物質と対立しない範囲内で組み込まれてもよいことが認識されるべきである。そういうものとして、および必要な範囲で、本件明細書において明白に述べられるように本件開示は、参照によって本件明細書に組み込まれる任意の相反する物質と取って代わる。本件明細書の参照によって組み込まれていると考えられるが、既存の説明、主張、または本件明細書において述べられる他の開示物質と相反すると考えられる任意の物質、またはそれらのものの部分は、その組み込まれた物質と既存の開示された物質との間で対立が生じない範囲でのみ組み込まれるだろう。
以下に、本願出願の当初の特許請求の範囲に記載された発明を付記する。
［Ｃ１］  複数のポータブルデバイスのポピュレーションにメディアコンテンツをワイヤレスに配信するための方法であって、
ネットワークコントローラから送信されるメディアコンテンツを受信することと、
ローカル記録装置に前記メディアコンテンツを記憶することと、
アクセスポイントによりワイヤレスデータプロトコルのカバレッジエリアを管理することと、
前記カバレッジエリア内の予約者としてポータブルデバイスからのメディアコンテンツの要求を認証することと、
前記ポータブルデバイスに前記要求されたメディアコンテンツをワイヤレスに送信することと、および
追跡および請求の目的のために前記ネットワークコントローラへ前記ワイヤレス送信を報告することと
を具備する方法。
［Ｃ２］  公衆交換電話網（PTSN）を介して、前記ネットワークコントローラから送信される前記メディアコンテンツを受信することをさらに具備するＣ1に記載の方法。
［Ｃ３］  ケーブルモデムを介して前記ネットワークコントローラから送信される前記メディアコンテンツを受信することをさらに具備するＣ1に記載の方法。
［Ｃ４］  複数のポータブルデバイスからのメディアコンテンツの要求を追跡することと、および  前記複数の追跡された要求に基づいて複数のダウンロードの再優先を要求することと  をさらに具備するＣ1に記載の方法。
［Ｃ５］  前記ネットワークコントローラからメディアコンテンツの選択カタログを受信することと、および前記カバレッジエリアにおける前記ポータブルデバイスに前記選択カタログをリレーすることとをさらに具備するＣ1に記載の方法。
［Ｃ６］  複数の予約者のための前記カバレッジエリアに関して複数のポータブルデバイスの前記ポピュレーションに警告するためにビーコン信号を送信することをさらに具備する、Ｃ1に記載の方法。
［Ｃ７］  前記ポータブルデバイスから利用可能なメディアコンテンツの報告を受信することと、  前記利用可能なメディアコンテンツの選択が、予約者としてダウンロードされていることを決定することと、
前記選択がローカル記録装置において利用可能ではないことを決定することと、および  前記ポータブルデバイスから前記選択された利用可能なメディアコンテンツをワイヤレスに要求および受信することと
をさらに具備するＣ1に記載の方法。
［Ｃ８］  予約者メディアコンテンツの受信を容易にするために前記ポータブルデバイスのための前記ネットワークコントローラへクレジットを報告することをさらに具備するＣ7に記載の方法。
［Ｃ９］  前記ポータブルメディアコンテンツから利用可能なメディアコンテンツの報告を受信することと、
前記利用可能なメディアコンテンツの選択が、他の予約者ポータブルデバイスからの予約者として少なくとも部分的にダウンロードされていることを決定することと、および  前記他の予約者ポータブルデバイスをクレジットするために前記ネットワークコントローラに前記ダウンロードを報告することと
をさらに具備するＣ1に記載の方法。
［Ｃ１０］  拡張されたカバレッジエリアの複数のアクセスポイントのアレイを管理することをさらに具備するＣ1に記載の方法。
［Ｃ１１］  前記キオスクを介してなされる複数のトランザクションについて報告するためにベンダーユーザ・インターフェースを介してベンダーと相互作用することをさらに具備する、Ｃ1に記載の方法。
［Ｃ１２］  前記予約者ポータブルデバイスのためのメディアコンテンツを選択するために公共のユーザインターフェースを介して予約者と相互作用することをさらに具備するＣ1に記載の方法。
［Ｃ１３］  ローカル記録装置からメディアコンテンツを削除することと、および
更新された選択カタログに注解をつけるために前記ネットワークコントローラに前記削除を報告することと
をさらに具備するＣ1に記載の方法。
［Ｃ１４］  前記ネットワークコントローラへ前記予約者ポータブルデバイスのための位置報告をリレーすることをさらに具備するＣ1に記載の方法。
［Ｃ１５］  前記予約者ポータブルデバイスからビーコン信号を検出することをさらに具備するＣ14に記載の方法。
［Ｃ１６］  前記予約者ポータブルデバイスの到着を見込んでメディアコンテンツの優先されたダウンロードを受信することをさらに具備するＣ1に記載の方法。
［Ｃ１７］  前記予約者ポータブルデバイスから複数の選択を受信することと、
現在のセッションの間に１つの選択の少なくとも一部分を送信することと、
前記複数の選択の他の前記ネットワークコントローラからのダウンロードを要求および受信することと、および
その後のセッションの間に前記予約者ポータブルデバイスに前記他の選択を送信することと
をさらに具備するＣ1に記載の方法。
［Ｃ１８］  前記選択のバックホール・ネットワーク実現をトリガするためにダウンロードを開始する期日を具備する予約者ポータブルデバイスからの報告を受信することをさらに具備するＣ1に記載の方法。
［Ｃ１９］  前記第1のポータブルデバイスへの前記第1の選択されたメディアコンテンツの送信の間に第2の予約者ポータブルデバイスから第2の選択の要求を受信することと、および
前記第1の選択されたメディアコンテンツの送信が終了した後に前記第2の予約者ポータブルデバイスに前記第2の選択されたメディアコンテンツをワイヤレスに送信することと  をさらに具備するＣ1に記載の方法。
［Ｃ２０］  前記第1のポータブルデバイスへの前記第1の選択されたメディアコンテンツの送信の間に第2の予約者ポータブルデバイスから第2の選択の要求を受信することと、および
前記第1のポータブルデバイスへの前記第1の選択されたメディアコンテンツの送信の間に前記第2の予約者ポータブルデバイスへ前記第2の選択されたメディアコンテンツをワイヤレスに送信することと
をさらに具備するＣ1に記載の方法。
［Ｃ２１］  前記カバレッジエリアから前記ポータブルデバイスの送信の完了または離脱のため前記選択されたメディアコンテンツの送信を終了することをさらに具備するＣ1に記載の方法。
［Ｃ２２］  低減された送信レートに基づいて前記カバレッジエリアからの前記ポータブルデバイスの離脱を決定することをさらに具備するＣ21に記載の装置。
［Ｃ２３］  複数のポータブルデバイスのポピュレーションにメディアコンテンツをワイヤレスに配信するための少なくとも1つのプロセッサであって、
ネットワークコントローラから送信されるメディアコンテンツを受信するための第1のモジュールと、
ローカル記録装置に前記メディアコンテンツを記憶するための第2のモジュールと、
アクセスポイントによりワイヤレスデータプロトコルのカバレッジエリアを管理するための第3のモジュールと、
前記カバレッジエリア内の予約者としてポータブルデバイスからのメディアコンテンツの要求を認証するための第4のモジュールと、
前記ポータブルデバイスに前記要求されたメディアコンテンツをワイヤレスに送信するための第5のモジュールと、および
追跡および請求の目的のために前記ネットワークコントローラへ前記ワイヤレス送信を報告するための第6のモジュールと
を具備するプロセッサ。
［Ｃ２４］  コンピュータ可読記憶媒体を具備する、複数のポータブルデバイスのポピュレーションにメディアコンテンツをワイヤレスに配信するためのコンピュータプログラム・プロダクトであって、  ネットワークコントローラから送信されるメディアコンテンツを受信することをコンピュータにさせるための第1のセットの命令と、
ローカル記録装置に前記メディアコンテンツを記憶することを前記コンピュータにさせるための第2のセットの命令と、
アクセスポイントによりワイヤレスデータプロトコルのカバレッジエリアを管理することを前記コンピュータにさせるための第3のセットの命令と、
前記カバレッジエリア内の予約者としてポータブルデバイスからのメディアコンテンツの要求を認証することを前記コンピュータにさせるための第4のセットの命令と、
前記ポータブルデバイスに前記要求されたメディアコンテンツをワイヤレスに送信することを前記コンピュータにさせるための第5のセットの命令と、および
追跡および請求の目的のために前記ネットワークコントローラへ前記ワイヤレス送信を報告することを前記コンピュータにさせるための第6のセットの命令と
を具備するコンピュータプログラム・プロダクト。
［Ｃ２５］  複数のポータブルデバイスのポピュレーションにメディアコンテンツをワイヤレスに配信するための装置であって、
ネットワークコントローラから送信されるメディアコンテンツを受信するための手段と、
ローカル記録装置に前記メディアコンテンツを記憶するための手段と、
アクセスポイントによりワイヤレスデータプロトコルのカバレッジエリアを管理するための手段と、
前記カバレッジエリア内の予約者としてポータブルデバイスからのメディアコンテンツの要求を認証するための手段と、
前記要求されたメディアコンテンツを前記ポータブルデバイスにワイヤレスに送信するための手段と、および
追跡および請求の目的のために前記ネットワークコントローラへ前記ワイヤレス送信を報告するための手段と
を具備する装置。
［Ｃ２６］  複数のポータブルデバイスのポピュレーションにメディアコンテンツをワイヤレスに配信するための装置であって、
ネットワークコントローラから送信されるメディアコンテンツを受信するためのネットワーク通信モジュールと、
前記メディアコンテンツを記憶するためのローカル記録装置と、
プロセッサと、
ワイヤレスデータプロトコルのカバレッジエリアのために前記プロセッサによって管理されるワイヤレスアクセスポイントと、
前記カバレッジエリア内の予約者としてポータブルデバイスからのメディアコンテンツの要求を認証するためのセキュリティモジュールと、
前記ポータブルデバイスに前記要求されたメディアコンテンツをワイヤレスに送信するための前記ワイヤレスアクセスポイントと、および
追跡および請求の目的のために前記ネットワーク通信モジュールを介して前記ネットワークコントローラへ前記ワイヤレス送信を報告するためおよびローカル記録装置に前記報告を記憶する前記プロセッサと
を具備する装置。
［Ｃ２７］  公衆交換電話網（PTSN）を介して、前記ネットワークコントローラから送信される前記メディアコンテンツを受信するための前記ネットワーク通信モジュールをさらに具備するＣ26に記載の装置。
［Ｃ２８］  ケーブルモデム上で前記ネットワークコントローラから送信される前記メディアコンテンツを受信するための前記ネットワーク通信モジュールをさらに具備するＣ26に記載の装置。
［Ｃ２９］  複数のポータブルデバイスからのメディアコンテンツの複数の要求を追跡し、および  前記追跡された複数の要求に基づいてダウンロードの再優先を要求するための前記プロセッサをさらに具備するＣ26に記載の装置。
［Ｃ３０］  前記ネットワークコントローラからメディアコンテンツの選択カタログを受信するための前記ネットワーク通信モジュールと、および前記カバレッジエリアにおける前記ポータブルデバイスへ前記選択カタログをリレーするための前記ワイヤレスアクセスポイントとをさらに具備するＣ26に記載の装置。
［Ｃ３１］  複数の予約者のための前記カバレッジエリアに関して複数のポータブルデバイスの前記ポピュレーションに警告するためにビーコン信号を送信するための前記ワイヤレスアクセスポイントをさらに具備するＣ26に記載の装置。
［Ｃ３２］  複数のポータブルデバイスの前記ポピュレーションの少なくとも1つからビーコン信号を受信するための前記ワイヤレスアクセスポイントをさらに具備するＣ26に記載の装置。
［Ｃ３３］  前記ポータブルデバイスから利用可能なメディアコンテンツの報告を受信するための前記ワイヤレスアクセスポイントと、
前記利用可能なメディアコンテンツの選択が、予約者としてダウンロードされていることを決定するため、およびローカル記録装置において利用可能ではない前記選択を決定するための前記プロセッサと、および
前記ポータブルデバイスから前記選択された利用可能なメディアコンテンツをワイヤレスに要求および受信するための前記ワイヤレスアクセスポイントと
をさらに具備するＣ26に記載の装置。
［Ｃ３４］  予約者メディアコンテンツの受信を容易にするために前記ポータブルデバイスのための前記ネットワークコントローラへクレジットを報告するための前記ネットワーク通信モジュールをさらに具備するＣ33に記載の装置。
［Ｃ３５］  前記ポータブルデバイスから利用可能なメディアコンテンツの報告を受信するための前記ワイヤレスアクセスポイントと、
前記利用可能なメディアコンテンツの選択を他の予約者ポータブルデバイスからの予約者として少なくとも部分的にダウンロードされていると決定するための前記プロセッサと、および
前記他の予約者ポータブルデバイスをクレジットするために前記ネットワークコントローラに前記ダウンロードを報告するための前記ネットワーク通信モジュールと
をさらに具備するＣ26に記載の装置。
［Ｃ３６］  拡張されたカバレッジエリアの複数のアクセスポイントのアレイを管理するための前記プロセッサをさらに具備するＣ26に記載の装置。
［Ｃ３７］  前記キオスクを介してなされる複数のトランザクションについて報告するためにベンダーと相互作用するためのベンダーユーザ・インターフェースをさらに具備する、Ｃ26に記載の装置。
［Ｃ３８］  前記予約者ポータブルデバイスのためのメディアコンテンツを選択するために予約者と相互作用するための公共のユーザインターフェースをさらに具備するＣ26に記載の装置。
［Ｃ３９］  ローカル記録装置からメディアコンテンツを削除するための前記プロセッサと、および  更新された選択カタログに注解をつけるために前記ネットワークコントローラに前記削除を報告するための前記ネットワーク通信モジュールと
をさらに具備するＣ26に記載の装置。
［Ｃ４０］  前記ネットワークコントローラへ前記予約者ポータブルデバイスについての位置報告をリレーするための前記ネットワーク通信モジュールをさらに具備するＣ26に記載の装置。
［Ｃ４１］  前記予約者ポータブルデバイスの到着を見込んでメディアコンテンツの優先されたダウンロードを受信するための前記ネットワーク通信モジュールをさらに具備するＣ26に記載の装置。
［Ｃ４２］  前記予約者ポータブルデバイスから複数の選択を受信するため、および現在のセッションの間に1つの選択の少なくとも一部分を送信するための前記ワイヤレスアクセスポイントと、
前記複数の選択の他の前記ネットワークコントローラからダウンロードを要求および受信するための前記ネットワーク通信モジュールと、および
その後のセッションの間に前記予約者ポータブルデバイスへ前記他の選択を送信するための前記ワイヤレスアクセスポイントと
をさらに具備するＣ26に記載の装置。
［Ｃ４３］  前記選択のバックホール・ネットワーク実現をトリガするためにダウンロードを開始する期日を具備する予約者ポータブルデバイスからの報告を受信するための前記ワイヤレスアクセスポイントをさらに具備するＣ26に記載の装置。
［Ｃ４４］  前記第1のポータブルデバイスへの前記第1の選択されたメディアコンテンツの送信の間に第2の予約者ポータブルデバイスから第2の選択の要求を受信するため、および
前記第1の選択されたメディアコンテンツの送信が終了した後に前記第2の予約者ポータブルデバイスに前記第2の選択されたメディアコンテンツをワイヤレスに送信するための前記ワイヤレスアクセスポイントをさらに具備するＣ26に記載の装置。
［Ｃ４５］  前記第1のポータブルデバイスへの前記第1の選択されたメディアコンテンツの送信の間に第2の予約者ポータブルデバイスから第2の選択の要求を受信するため、および
前記第1のポータブルデバイスへの前記第1の選択されたメディアコンテンツの送信の間に前記第2の予約者ポータブルデバイスへ前記第2の選択されたメディアコンテンツをワイヤレスに送信するための前記ワイヤレスアクセスポイントをさらに具備するＣ26に記載の装置。
［Ｃ４６］  前記カバレッジエリアから前記第1のポータブルデバイスの送信の完了または離脱のため前記第1の選択されたメディアコンテンツの送信を終了するための前記プロセッサをさらに具備するＣ44に記載の装置。
［Ｃ４７］  低減された送信レートに基づいて前記カバレッジエリアから前記第1のポータブルデバイスの離脱を決定するための前記プロセッサをさらに具備するＣ46に記載の装置。
【図１】
0005937021.tif 000002
【図２】
0005937021.tif 000003
【図３】
0005937021.tif 000004
【図４】
0005937021.tif 000005
【図５】
0005937021.tif 000006
【図６】
0005937021.tif 000007
【図７】
0005937021.tif 000008
【図８】
0005937021.tif 000009